(57)【要約】【課題】客が１回に多数のサプライ商品を纏めて掴み出せないようにして防盗性を高め、併せてサプライ商品の補給，収納部の清掃などのメンテナンス作業が楽に行えるようにサプライ商品収納部の構造を改良する。【解決手段】外扉２の商品取出口３に臨ませて本体キャビネット１の庫内前部に装備した取出口組立体４に、箸，スプーン，ストロー等のサプライ商品をばら積みして収納する上面開放形のサプライ商品収納部６を設けた自動販売機において、前記サプライ商品収納部に上蓋７を被着し、収納部の上面一部にサプライ商品の取出スペース８を確保して残り面域を閉塞するようにする。さらに外扉２を閉じた状態でサプライ商品収納部の上蓋を閉位置に押さえ込むロック手段として、外扉の裏面側には前記上蓋の上方に迫り出す横桟形のロック板９を設け、外扉を閉じた状態では上蓋を開けられないよう閉位置にロックする。【選択図】　　　図１
2004145810.tif 000002
【特許請求の範囲】
【請求項１】
外扉の商品取出口に臨ませて本体キャビネットの庫内前部に箸，スプーン，ストロー等のサプライ商品をばら積みして収納する上面開放形のサプライ商品収納部を備えた自動販売機において、
前記サプライ商品収納部に上蓋を付設し、収納部の上面一部にサプライ商品の取出スペースを確保して残り面域を前記上蓋で閉塞ようにしたことを特徴とする自動販売機。
【請求項２】
請求項１に記載の自動販売機において、上蓋をサプライ商品収納部へ開閉，着脱自在に組付けるとともに、外扉には、該外扉を閉じた状態でサプライ商品収納部の上蓋を閉位置に押さえ込むロック手段を備えたことを特徴とする自動販売機。
【請求項３】
請求項２に記載の自動販売機において、ロック手段として外扉の裏面側に、サプライ商品収納部の上蓋に対峙する横桟形のロック板を設けたことを特徴とする自動販売機。
【発明の詳細な説明】
【０００１】
【発明の属する技術分野】
本発明は、商品取出口に臨ませて機内側に、販売商品の飲食に使う付属品として客に提供する箸，スプーン，ストロー等のサプライ商品の収納部を装備した自動販売機に関する。
【０００２】
【従来の技術】
カップ麺，カップ入り飲料などの商品を販売する自動販売機では、商品の飲食に使う付属品として箸，スプーン，ストロー等のサプライ商品を客に提供するようにしており、そのために自動販売機の商品取出口に前記サプライ商品の収納ボックスを併設してここに前記サプライ商品をばら積みに収納しておき、商品を購入した客が商品取出口の扉を開いて商品を取り出す際に、同時に収納ボックスからサプライ商品を取り出せるようにした構成が知られている。（例えば、特許文献１，特許文献２参照）。
【０００３】
【特許文献１】
特開平９−１０２０７０号公報
【特許文献２】
特開平１０−２５５１２９号公報
【０００４】
【発明が解決しようとする課題】
前記の特許文献１，２に開示されている構造を含めて従来における商品取出口の構成では、サプライ商品の取り出し数量を規制する手段を備えてなく、客は収納ボックスに入っているサプライ商品を自由に取り出すことができるようになっている。
このために、客が収納ボックスから一度に多数のサプライ商品を纏めて掴み出して不正に持ち去るといった被害がしばしば発生し、このことが自動販売機の保守，管理上での問題となっている。なお、サプライ商品の盗難を考慮してあらかじめサプライ商品収納ボックスを小形にする，あるいはサプライ商品の補給数量を少なめにすると、日常のメンテナンスでサプライ商品の補給を頻繁に行わなければならず手間がかかる。
【０００５】
本発明は上記の点に鑑みなされたものであり、客が１回に多数のサプライ商品を纏めて掴み出せないようにして防盗性を高め、併せてサプライ商品の補給，収納部の清掃などのメンテナンス作業が楽に行えるようにサプライ商品収納部の構造を改良した自動販売機を提供することを目的とする。
【０００６】
【課題を解決するための手段】
上記目的を達成するために、本発明によれば、外扉の商品取出口に臨ませて本体キャビネットの庫内前部に箸，スプーン，ストロー等のサプライ商品をばら積みして収納する上面開放形のサプライ商品収納部を備えた自動販売機において、前記サプライ商品収納部に上蓋を付設し、収納部の上面一部にサプライ商品の取出スペースを確保して残り面域を前記上蓋で閉塞ように構成する（請求項１）。これにより、客が一回に取り出せるサプライ商品は単品（１組）だけであり、同時に多数のサプライ商品を纏めて掴み出そうとしても、上蓋が邪魔をしてサプライ商品を纏めて取り出すことができない。
【０００７】
また、上記構成をベースとして防盗性、および補給，清掃などのメンテナンス性を高めるために、本発明によれば、上蓋をサプライ商品収納部へ開閉，着脱自在に組付けるとともに、外扉には、該外扉を閉じた状態でサプライ商品収納部の上蓋を閉位置に押さえ込むロック手段を備える（請求項２）ものとし、そのロック指弾の具体的な態様として、外扉の裏面側に横桟形のロック板を設け、外扉を閉じた状態では前記のロック板が上蓋をサプライ商品収納部の上面に押え込んで上蓋が開けられないような構成とする（請求項３）。
【０００８】
【発明の実施の形態】
以下、本発明の実施の形態を図１ないし図３の実施例に基づいて説明する。
図１は本発明によるサプライ商品収納部を装備した自動販売機の全体構成図であり、図において、１は自動販売機の本体キャビネット、２は外扉で、外扉２の前面にはフラッパ式の取出口扉３ａを備えた商品取出口３が開口している。また、商品取出口３に臨ませて本体キャビネット１の庫内底部の前面側には取出口組立体４を装備している。この取出口組立体４は中央に商品搬出口５が開口し、この商品搬出口５を挟んでその左右両側にサプライ商品（箸，スプーン，ストロー等）をばら積みにして収容する上面開放形のサプライ商品収納部６が形成されており、さらに収納部６ごとにその上面にはサプライ商品の取出スペース８を確保して残り面域を閉塞するように上蓋７で覆った構成になる。なお、上蓋７およびその取付け構造については後述する。
【０００９】
また、外扉２には、外扉を閉じた状態で前記サプライ商品収納部６の上蓋７を閉位置に押さえ込むロック手段として、扉の裏面側から庫内に向けて突き出す横桟形のロック板９を備えている。なお、１０は本体キャビネット１の商品収納室であり、図示してないがこの商品収納室１０にカップ麺，カップ入り飲料などの商品を収納する商品収納ラックが搭載される。
上記構成の自動販売機では、商品販売動作が行われると商品収納ラック（図示せず）から払出した商品が取出口組立体４の商品搬出口５に送出される。また、この状態では客が商品取出口３の取出口扉３ａを手前に撥ね上げて開き、機内に手を差し入れて前記の商品搬出口５から販売済の商品を取り出し、同時にサプライ商品収納部６から商品の飲食に使う箸，ストロー，スプーンなどの付属品を取り出すことができる。
【００１０】
次に、前記した取出口組立体４の詳細構造，およびそのサプライ商品収納部６に付設した上蓋７の開閉，着脱操作を図２（ａ），（ｂ）　で説明する。すなわち、取出口組立体４は箱形の板金構造で、その中央に開口する商品搬出口５を挟んでその左右両側には上面を開放した箱形のサプライ商品収納部６が仕切壁６ａを介して画成され、このサプライ商品収納部６の上面に上蓋７が次記のように開閉，着脱自在に被着されている。なお、４ａは取出口組立体４を本体キャビネット１に固定する段付きねじ、５ａは商品搬出口５の上方を覆う防盗フラッパである。
ここで、上蓋７はその横幅がサプライ商品収納部６よりも多少短めに設定されており、その後縁側に係合突起７ａを突き出し形成して取出口組立体４の背面壁に開口したスリット４ｂに差し込んで定位置に支持するようにしている。また、上蓋７の前縁側には把手を兼ねた段付きフランジ７ｂが形成され、さらに中央寄りの側縁にはＵ字形の凹所７ｃを切欠き形成してサプライ商品を取り出す際に手が商品収納部６の中に入り易くするようにしている。
【００１１】
そして、図２（ａ）　で示すように、サプライ商品収納部６に上蓋７を被せた使用状態では、サプライ商品収納部６に収納されているサプライ商品を指先で摘んで取り出せるように、商品収納部６の中央寄りには一組のサプライ商品が楽に通り抜けるよう設定した幅ｄの取出スペース８を確保し、残り面域を上蓋７で覆っている。なお、上蓋７の凹所７ｃに位置を合わせて収納部６の仕切壁６ａにもＵ字状の凹所６ｂを形成し、サプライ商品を取り出し易くするとともに、同時に凹所７ｃおよび６ｂとの切欠き凹所を通じて機外から商品収納部６の奥まで目視できるようにしている。
【００１２】
また、図２（ｂ）　で表すように、上蓋７は後縁の係合突起７ａをスリット４ｂに差し込んだまま上方に撥ね上げて開放したり（図中の左側上蓋）、あるいは係合突起７ａをスリット４ｂから抜いて前方に引き出す（図中の右側上蓋）ことができる。そして、サプライ商品を補給する場合には、上蓋７を上方に開いてサプライ商品収納部６の上面全域を開放する。また、清掃時には上蓋７を前方に引き抜いて取り外すことで、サプライ商品収納部６の内部を清掃できる。
図３は、前記の取出口組立体４を図１の本体キャビネット１に組付けた上で、外扉２を閉じた状態を表しており、図から判るように外扉２を閉じると、外扉の裏面側に設けたロック板９が上蓋７の前縁フランジ部７ｂの上に迫り出して上蓋７を押え込む。したがってこの状態では、商品取出口３を通じて外部から手を差し入れて上蓋７を開けようとしても開くことができない。
【００１３】
これにより、客はサプライ商品収納部６の上面一部に口を開いている取出スペース８からサプライ商品を単品ずつ取り出すことができるが、その取出し口は上蓋７と仕切壁６ａとの間の取出スペース幅ｄにより制限されるので、一度に多数のサプライ商品を掴んで取り出すことができず、従来の自動販売機で問題となっていた悪戯の被害が防げる。なお、商品収納部６の奥の方に入っているサプライ商品は前記の凹所６ｂ，７ｃより手を差し入れて手前にかき寄せた上で摘まみ出すようにする。また、サプライ商品を補給する場合には、外扉２を開くことによって上蓋７のロックが解除されるので、上蓋７を開いて必要な数量のサプライ商品を一括して収納部６に補給できる。さらに、サプライ商品収納部６の内部を清掃する場合には、上蓋７を取り外すことで清掃作業が楽に行える。
【００１４】
【発明の効果】
以上述べたように、本発明によれば、外扉の商品取出口に臨ませて本体キャビネットの庫内前部に箸，スプーン，ストロー等のサプライ商品をばら積みして収納する上面開放形のサプライ商品収納部を備えた自動販売機において、前記サプライ商品収納部に上蓋を付設し、収納部の上面一部にサプライ商品の取出スペースを確保して残り面域を前記上蓋で閉塞ようにしたことにより、
客が一回に取り出せるサプライ商品は単品だけであり、同時に多数のサプライ商品を纏めて掴み出そうとしても、上蓋が邪魔をしてサプライ商品を纏めて取り出すことができず、これにより従来構造の商品取出口で問題となっていた悪戯の被害を未然に防ぐことができる。
【００１５】
また、本発明の請求項２，３の構成を併用することにより、通常の販売状態では前記上蓋を閉位置にロックできてサプライ商品に対する高い防盗性が確保できるほか、サプライ商品の補給，収納部の清掃が楽に行えてメンテナンス性の向上化が図れる。
【図面の簡単な説明】
【図１】本発明の実施例に係る自動販売機の外扉を開放した状態を表す外観斜視図
【図２】図１における取出口組立体の詳細構造図で、（ａ），（ｂ）　はそれぞれサプライ商品収納部の上蓋を閉じた状態，および開放した状態を表す斜視図
【図３】図２の取出口組立体を本体キャビネットに装着して外扉を閉じた上蓋のロック状態を表す縦断側面図
【符号の説明】
１　　自動販売機の本体キャビネット
２　　外扉
３　　商品取出口
４　　取出口組立体
５　　商品搬出口
６　　サプライ商品収納部
７　　上蓋
８　　取出スペース
９　　ロック板
【図１】
2004145810.tif 000003
【図２】
2004145810.tif 000004
【図３】
2004145810.tif 000005